(57)【要約】【課題】  小型化を図ることのできるインクジェットプリンタ装置を提供する。【解決手段】  インクジェットプリンタ装置のトップカバーにはパワースイッチボタン等が配設され、ベースカバーに搭載されたキャリア駆動ユニット７には、インクキャリア１１のスキャン方向とフラットケーブル１２の向きとの関係で、基板ユニット８が縦置きに配設されている。基板ユニット８の基板本体８ａには、パワースイッチボタンを発光表示するためのＬＥＤ９が取付けられ、ベースカバーには、キャリア駆動ユニット７がベースカバーに搭載された状態で、ＬＥＤ９を保持するホルダ４が一体的に形成されている。ＬＥＤ９の近傍には、パワースイッチボタンの動作と連動するパワースイッチ本体が配設されている。【選択図】        図２
2007054976.tif 000002
【特許請求の範囲】
【請求項１】
筐体としてのベースカバーおよび前記ベースカバーの上方に配設されたトップカバーと、
前記トップカバーの上面部分に配設された電源を投入するためのパワースイッチボタンと、
前記ベースカバーに搭載され、インクカートリッジを搭載したインクキャリアをスキャンさせるキャリア駆動ユニットと、
前記トップカバーの前記上面部分と略直交するように前記キャリア駆動ユニットに配設され、前記キャリア駆動ユニットの動作を制御する基板本体を含む基板ユニットと、
前記基板ユニットに配設され、前記パワースイッチボタンの動作と連動するパワースイッチ本体と、
前記基板本体に沿って折り曲げられるように前記基板ユニットに配設されて前記パワースイッチボタンに向けて発光する発光素子と、
前記ベースカバーに一体的に設けられ、前記発光素子を覆うようにして前記発光素子を保持するホルダと
を備えた、インクジェットプリンタ装置。
【請求項２】
所定の筐体と、
前記筐体における上面部分に配設された発光表示部と、
前記上面部分と略直交するように前記筐体内に配設された基板本体を含む所定の基板ユニットと、
前記基板本体に沿って折り曲げられるように前記基板ユニットに配設されて前記発光表示部に向けて発光する発光素子と、
前記筐体に設けられ、前記発光素子を保持する保持部と
を備えた、インクジェットプリンタ装置。
【請求項３】
前記保持部は前記発光素子を外方から覆うカバーを含む、請求項２記載のインクジェットプリンタ装置。
【請求項４】
前記保持部は前記発光素子が挿通される開口部を含む、請求項２記載のインクジェットプリンタ装置。
【請求項５】
前記筐体内に配設された、インクキャリアをスキャンさせるキャリア駆動ユニットを備え、
前記基板ユニットは前記キャリア駆動ユニットに配設された、請求項２〜４のいずれかに記載のインクジェットプリンタ装置。
【請求項６】
前記発光表示部は電源を投入するためのパワースイッチボタンを含む、請求項２〜５のいずれかに記載のインクジェットプリンタ装置。
【発明の詳細な説明】
【技術分野】
【０００１】
本発明はインクジェットプリンタ装置に関し、特に、発光表示機能を備えたインクジェットプリンタ装置に関するものである。
【背景技術】
【０００２】
ＯＡ機器等には、電源がオンの状態であるかオフの状態であるか等の機器の状態を対応するスイッチ部分を発光させることによって、その状態をユーザが容易に確認できるように発光表示機能が設けられている。そこで、そのような発光表示機能を備えたＯＡ機器として、インクジェットプリンタ装置について説明する。
【０００３】
図１１に示すように、インクジェットプリンタ装置１０１では、筐体１０２としてベースカバー１０３とトップカバー１０６とを備えている。そのベースカバー１０３には、インクキャリアをスキャンさせることによって所定の用紙に印字や印画をするキャリア駆動ユニット（図示せず）が搭載されている。トップカバー１０６の背面側には、用紙を供給する給紙トレー１１５が配設されている。一方、ベースカバー１０３の前面側には、印刷されて排出された用紙がスタックされる排紙トレー１１６が配設されている。
【０００４】
トップカバー１０６の上面部分の所定の位置には、インクジェットプリンタ装置１０１の電源を投入するためのパワースイッチボタン１１７等が配設されている。そのパワースイッチボタン１１７には、電源が投入されてオンの状態では発光し、オフの状態では発光しないように発光表示機能が備えられている。その発光表示機能について、さらに詳しく説明する。
【０００５】
図１２に示すように、ベースカバー１０３に搭載されたキャリア駆動ユニット１０７には、そのキャリア駆動ユニット１０７の動作を制御する基板ユニット１０８が配設されている。基板ユニット１０８の基板本体１０８ａには、ＬＥＤ（Light-Emitting Diode）１０９が配設されている。そのＬＥＤ１０９の直上に、パワースイッチボタン１１７が配設されている。図１３に示すように、ＬＥＤ１０９は基板本体１０８ａに沿って折り曲げられるようにして取付けられ、基板本体１０８ａに装着されたホルダ１１２によって保持されている。
【０００６】
そのホルダ１１２の横には、パワースイッチボタン１１７の動作と連動したパワースイッチ本体１１０が取付けられている。パワースイッチボタン１１７が押されてパワースイッチ本体１１０がオンされると、ＬＥＤ１０９が発光してパワースイッチボタン１１７が光ることになる。反対に、パワースイッチ本体１１０がオフされると、ＬＥＤ１０９が消光してパワースイッチボタン１１７の発光が消えることになる。こうして、インクジェットプリンタ装置１０１のオン・オフ状態がパワースイッチボタン１１７の発光により表示される。
【０００７】
従来のインクジェットプリンタ装置１０１の発光表示機能は上記のように構成され、発光素子としてのＬＥＤ１０９は、基板本体１０８ａに装着されたホルダ１１２によって基板ユニット１０８に保持されている。なお、ＬＥＤをホルダにより保持する構造を開示した文献として、たとえば特許文献１がある。
【特許文献１】特開平１１−２８２３７０号公報
【発明の開示】
【発明が解決しようとする課題】
【０００８】
しかしながら、従来のインクジェットプリンタ装置１０１では次のような問題点があった。基板ユニット１０８においては、ＬＥＤ１０９が位置する近傍にパーソナルコンピュータ等と接続するための所定のケーブルが接続されるコネクタ（図示せず）が取付けられている。そのため、そのコネクタにケーブルを直接接続できるように、図１２または図１３に示すように、インクジェットプリンタ装置１０１のベースカバー１０３の背面側には、基板ユニット１０８の側（内側）に向かって突出した部分１０３ａが設けられている。
【０００９】
そのインクジェットプリンタ装置１０１には小型化が要求されて、筐体１０２のサイズを縮めることが求められている。ところが、筐体１０２の前面側と背面側との寸法（奥行き）を縮めようとすると、ベースカバー１０３の背面側の突出した部分１０３ａがＬＥＤ１０９を保持するホルダ１１２に接触してしまい、ホルダ１１２の厚みが小型化を阻害する要因の一つになった。
【００１０】
本発明は上記問題点を解決するためになされたものであり、その目的は、小型化を図ることのできるインクジェットプリンタ装置を提供することである。
【課題を解決するための手段】
【００１１】
本発明に係るインクジェットプリンタ装置は、筐体としてのベースカバーおよびトップカバーとパワースイッチボタンとキャリア駆動ユニットと基板ユニットとパワースイッチ本体と発光素子とホルダとを備えている。トップカバーはベースカバーの上方に配設されている。パワースイッチボタンは、電源を投入するためにトップカバーの上面部分に配設されている。キャリア駆動ユニットはベースカバーに搭載され、インクカートリッジを搭載したインクキャリアをスキャンさせる。基板ユニットは、基板本体を含んでトップカバーの上面部分と略直交するようにキャリア駆動ユニットに配設され、キャリア駆動ユニットの動作を制御する。パワースイッチ本体は基板ユニットに配設され、パワースイッチボタンの動作と連動する。発光素子は基板本体に沿って折り曲げられるように基板ユニットに配設されてパワースイッチボタンに向けて発光する。ホルダはベースカバーに一体的に設けられ、発光素子を覆うようにして発光素子を保持する。
【００１２】
この構成によれば、パワースイッチボタンを発光表示する発光素子は、キャリア駆動ユニットの動作を制御する基板ユニットに取付けられて、ベースカバーに一体的に設けられたホルダによって保持される。これにより、発光素子が基板本体に装着されたホルダに保持される場合と比べると、ベースカバーの部分がそのようなホルダと干渉することがなく、ベースカバーの前面側と背面側とのサイズをより縮めることができる。その結果、インクジェットプリンタ装置の小型化に寄与することができる。また、このホルダをベースカバーと一体的に成型することができて、基板本体に取付けるホルダが不要となり、部品点数が削減されて生産コストの低減も図ることができる。
【００１３】
本発明に係る他のインクジェットプリンタ装置は、所定の筐体と発光表示部と基板ユニットと発光素子と保持部とを備えている。発光表示部は、筐体における上面部分に配設されている。基板ユニットは基板本体を含み、その上面部分と略直交するように筐体内に配設されている。発光素子は、基板本体に沿って折り曲げられるように基板ユニットに配設されて発光表示部に向けて発光する。保持部は筐体に設けられて、発光素子を保持する。
【００１４】
この構成によれば、発光表示部を発光させる発光素子は、基板ユニットに取付けられて、筐体に設けられたホルダによって保持される。これにより、発光素子が基板本体に装着されたホルダに保持される場合と比べると、筐体の部分がそのようなホルダと干渉することがなく、筐体の前面側と背面側とのサイズをより縮めることができる。その結果、インクジェットプリンタ装置の小型化に寄与することができる。
【００１５】
具体的に保持部の態様として、発光素子を外方から覆うカバーや、発光素子が挿通される開口部がある。
【００１６】
また、筐体の上面部分と基板ユニットとが略直交する態様として、インクキャリアをスキャンさせる方向との関係でインクキャリア駆動ユニットに配設された基板ユニットと筐体の上面部分との関係がある。
【００１７】
さらに、発光表示部としては、電源を投入するためのパワースイッチボタンを含むことが好ましい。
【発明を実施するための最良の形態】
【００１８】
本発明の実施の形態に係るインクジェットプリンタ装置について説明する。図１に示すように、インクジェットプリンタ装置１では、筐体２としてベースカバー３とトップカバー６とを備えている。トップカバー６の背面側には、用紙を供給する給紙トレー１５が配設されている。また、トップカバー６の上面部分の所定の位置には、インクジェットプリンタ装置１の電源を投入するためのパワースイッチボタン１７等が配設されている。
【００１９】
一方、ベースカバー３の前面側には、印刷されて排出された用紙がスタックされる排紙トレー１６が配設されている。そのベースカバー３には、図２に示すように、インクキャリア１１をスキャンさせることによって所定の用紙に印字や印画をするキャリア駆動ユニット７が搭載されている。キャリア駆動ユニット７には、図３に示すように、キャリア駆動ユニット７の動作を制御するための基板ユニット８が取付けられている。基板ユニット８は、インクキャリア１１のスキャン方向（矢印）とフラットケーブル１２の向き（縦方向）との関係で縦置きに配設されている。
【００２０】
すなわち、図２に示すように、インクカートリッジ１１ａを搭載したインクキャリア１１のスライド動作にあわせて、フラットケーブル１２が滑らかに曲がるようにするには、スライド方向（矢印）に平行な平面とフラットケーブル１２のフラットな部分を含む面とが略直交するような配置関係が求められる。
【００２１】
このインクキャリア１１では、横方向（略水平方向）にスライドするインクキャリア１１の背面側の部分にフラットケーブル１２が接続されている関係上、そのフラットケーブル１２は、フラットな部分が縦方向（略垂直方向）に配設されることになる。そのため、フラットケーブル１２に無理な力がかからないようして、このフラットケーブル１２を基板ユニット８に接続しようとすると、図３に示すように、基板ユニット８も縦方向に配設する必要がある。こうして、基板ユニット８は縦置きに配設されることになる。
【００２２】
その基板ユニット８の基板本体８ａには、パワースイッチボタン１７を発光表示するためのＬＥＤ９が取付けられている。そのＬＥＤ９は、基板ユニット８が縦向きに配設され、パワースイッチボタン１７がトップカバー６の上面部分に配設される位置関係のもとで、実質的に発光するＬＥＤ９の頂部がパワースイッチボタン１７の側に向くように基板本体８ａに沿って上方に向けて折り曲げられている。
【００２３】
そして、基板本体８ａには、パーソナルコンピュータ等と接続するための所定のケーブルが接続されるコネクタ１３が取付けられている。そのコネクタ１３に所定のケーブル１４を直接接続するため、ベースカバー３には、開口部を有して基板ユニット８の側（内側）に向かって突出した部分３ａが形成されている。
【００２４】
図４に示すように、そのベースカバー３の突出した部分３ａには、キャリア駆動ユニットがベースカバー３に搭載された状態で、ＬＥＤ９を覆うようにしてＬＥＤ９を保持する保持部としてのホルダ４が一体的に形成されている。なお、図４では、ホルダ４の構造を示すために、キャリア駆動ユニットがホルダ４から多少離れた位置に示されている。
【００２５】
図５に示すように、そのホルダ４には、外に向かって開いたガイド部４ａが設けられている。図６に示すように、ＬＥＤ９が取付けられたキャリア駆動ユニット７をベースカバー３に取付ける際に、図５に示すように、ＬＥＤ９がガイド部４ａに案内されて、図７に示すように、ＬＥＤ９がホルダ４に保持されることになる。
【００２６】
図８に示すように、ホルダ４によって保持されたＬＥＤ９の近傍には、パワースイッチボタン１７の動作と連動するパワースイッチ本体１０が配設されている。パワースイッチボタン１７が押されてパワースイッチ本体１０がオンされると、ＬＥＤ９が発光してパワースイッチボタン１７が光り、オン状態であることが表示される。反対に、パワースイッチ本体１０がオフされるとＬＥＤが消光し、パワースイッチボタン１７の発光が消えてオフ状態となる。
【００２７】
上述したインクジェットプリンタ装置１では、パワースイッチボタン１７を発光表示するＬＥＤ９は、キャリア駆動ユニット７の動作を制御する基板ユニット８に取付けられて、ベースカバー３に一体的に設けられたホルダ４によって保持される。
【００２８】
これにより、ＬＥＤ９が基板本体８ａに装着されたホルダに保持される場合と比べると、ベースカバー３において基板ユニット８に設けられたコネクタ１３の側に向かって突出した部分３ａがそのようなホルダと干渉することがなく、ベースカバー３の前面側と背面側とのサイズをより縮めることができる。その結果、インクジェットプリンタ装置１の小型化に寄与することができる。また、このホルダ４をベースカバー３と一体的に成型することができて、基板本体８ａに取付けるホルダが不要となり、部品点数が削減されて生産コストの低減も図ることができる。
【００２９】
なお、上述したインクジェットプリンタ装置では、保持部としてベースカバー３に一体的に形成されたホルダ４を例に挙げて説明したが、保持部としてはこれに限られず、たとえば図９および図１０に示すように、ベースカバー３の所定の位置にＬＥＤ９を挿通させてこれを保持する開口部５を設けるようにしてもよい。
【００３０】
今回開示された実施の形態は例示にすぎず、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３１】
【図１】本発明の実施の形態に係るインクジェットプリンタ装置の斜視図である。
【図２】同実施の形態において、図１に示すインクジェットプリンタ装置の第１の分解斜視図である。
【図３】同実施の形態において、図１に示すインクジェットプリンタ装置の第２の分解斜視図である。
【図４】同実施の形態において、ベースカバーに一体的に設けられたホルダの部分を示す部分拡大斜視図である。
【図５】同実施の形態において、図４に示すホルダを上から見た部分上面図である。
【図６】同実施の形態において、キャリア駆動ユニットをベースカバーに取付ける様子を示す斜視図である。
【図７】同実施の形態において、キャリア駆動ユニットがベースカバーに取付けられた状態を示す部分斜視図である。
【図８】同実施の形態において、ホルダによって保持されたＬＥＤとその近傍を示す側面図である。
【図９】同実施の形態において、変形例に係るインクジェットプリンタ装置におけるＬＥＤを保持するベースカバーの部分を示す部分拡大斜視図である。
【図１０】同実施の形態において、図９に示すベースカバーに設けられた開口部に保持されたＬＥＤを示す部分断面図である。
【図１１】従来のインクジェットプリンタの斜視図である。
【図１２】図１１に示すインクジェットプリンタ装置におけるパワースイッチボタンとその近傍を示す部分拡大分解斜視図である。
【図１３】図１１に示すインクジェットプリンタ装置において、基板本体に取付けられたホルダに保持されたＬＥＤとその近傍を示す部分拡大分解斜視図である。
【符号の説明】
【００３２】
１  インクジェットプリンタ装置、２  筐体、３  ベースカバー、３ａ  突出部、４  ホルダ、４ａ  ガイド部、５  開口部、６  トップカバー、７  キャリア駆動ユニット、８  基板ユニット、８ａ  基板本体、９  ＬＥＤ、１０  パワースイッチ本体、１１  インクキャリア、１１ａ  インクカートリッジ、１２  フラットケーブル、１３  コネクタ、１５  給紙トレー、１６  排紙トレー、１７  パワースイッチボタン。
【図１】
2007054976.tif 000003
【図２】
2007054976.tif 000004
【図３】
2007054976.tif 000005
【図４】
2007054976.tif 000006
【図５】
2007054976.tif 000007
【図６】
2007054976.tif 000008
【図７】
2007054976.tif 000009
【図８】
2007054976.tif 000010
【図９】
2007054976.tif 000011
【図１０】
2007054976.tif 000012
【図１１】
2007054976.tif 000013
【図１２】
2007054976.tif 000014
【図１３】
2007054976.tif 000015